(57)【要約】【課題】犯罪や急病の事態にあって、キー入力の操作をせずに容易に緊急通報信号を発信でき、緊急通報信号を発信するための構造を付加する必要がない開閉式携帯電話機を提供する。【解決手段】開閉スイッチ２１により開状態を検知して計時を開始し、次に閉状態を検知して計時を停止し、開状態においてキー操作がなく計時された時間が所定時間内の場合に、制御部２３は記憶部２６から開閉式携帯電話機を個別に識別する緊急通報信号データを読み込み、通信制御部２２を動作させて、インターネットを介した緊急通報信号の発信動作を行う。【選択図】    図１
2006005510.tif 000002
【特許請求の範囲】
【請求項１】
開閉式携帯電話機による緊急通報信号の発信方法において、開閉状態検知手段により開状態を検知して計時を開始する過程と、開閉状態検知手段により閉状態を検知して計時を停止する過程と、前記開状態の検知から前記閉状態の検知までにキー操作がなく計時された時間が所定時間内の場合に緊急通報信号を発信する過程と、を有してなる開閉式携帯電話機による緊急通報信号の発信方法。
【請求項２】
開閉式携帯電話機において、開閉状態検知手段と、この開閉状態検知手段により開状態を検知して計時を開始し、次に閉状態を検知して計時を停止し、前記開状態の検知から前記閉状態の検知までにキー操作がなく計時された時間が所定時間内の場合に緊急通報信号を発信する緊急通報信号発信手段と、を有してなる開閉式携帯電話機による緊急通報信号の発信システム。
【発明の詳細な説明】
【技術分野】
【０００１】
本発明は、緊急通報機能を付加した開閉式携帯電話機に係り、とくに屋内からの緊急通報信号の発信に好適に利用できるものである。
【背景技術】
【０００２】
従来、金融機関や店舗、住宅で強盗や暴行を目的とする侵入者があった時や住宅での急病時の緊急通報信号の発信手段として、専用の通報機器に有線接続された緊急ボタンやその無線子機があるが、前述の機器を持たず、開閉式携帯電話機のみ持っている人が開閉式携帯電話機を使って緊急に通報するには、開閉式携帯電話機の筐体を開いてキー操作を行う必要があり、簡単に発信できない問題があった。
【０００３】
キー操作を必要としない緊急時の通報機能を備えた携帯電話機としては、従来の提案があり、例えば、特開平１１−１６４０５７では、携帯電話機に取り付けたストラップが緊急信号の発生回路の入力部として構成され、緊急時にストラップを取り外すことにより緊急信号を発生させ、警報ブザーの鳴動と発呼を自動で行うことを特徴としたものであり、特開２００３−３０４３１４では、携帯電話機のアンテナを一定以上の力で引っ張ることにより、アンテナの下部先端に取り付けられた部品が、アンテナ収納溝の底部に落下して警報発信装置の回路を閉じ、警報ブザーを鳴動させるかあるいは指定した相手に自動発呼する装置が提案されている。
【特許文献１】特開平１１−１６４０５７
【特許文献２】特開２００３−３０４３１４
【発明の開示】
【発明が解決しようとする課題】
【０００４】
しかしながら、上述の従来の技術では、以下の問題があった。
【０００５】
屋内で強盗に直面した場合、侵入者にとって被害者が屋外の人間へ通報することは最も警戒する行為であり、緊急通報するために通常使用の力以上でアンテナを取り外す動作やストラップを取り外す動作は侵入者から視認されやすく、侵入者の意に反する行動として危害を受ける危険があった。
【０００６】
緊急通報信号を発信するための構造を開閉式携帯電話機に付加する必要があり、緊急通報機能を備えていない開閉式携帯電話機と比べ製造コストが上昇する。
【０００７】
本発明では、上述した問題に鑑み、緊急通報をするための構造を付加することなく、キー操作を行わずに簡単に緊急通報信号を発信できる開閉式携帯電話機を提供することを目的としている。
【課題を解決するための手段】
【０００８】
このような課題を解決するため、本発明は、開閉式携帯電話機による緊急通報信号の発信方法において、開閉状態検知手段により開状態を検知して計時を開始する過程と、開閉状態検知手段により閉状態を検知して計時を停止する過程と、前記開状態の検知から前記閉状態の検知までにキー操作がなく計時された時間が所定時間内の場合に緊急通報信号を発信する過程と、を有してなる開閉式携帯電話機により緊急通報信号を発信することを特徴とする。
【０００９】
また本発明は、開閉式携帯電話機において、開閉状態検知手段と、この開閉状態検知手段により開状態を検知して計時を開始し、次に閉状態を検知して計時を停止し、前記開状態の検知から前記閉状態の検知までにキー操作がなく計時された時間が所定時間内の場合に緊急通報信号を発信する発信手段と、を有してなる開閉式携帯電話機であることを特徴とする。
【００１０】
本明細書中、用語「開閉式携帯電話機」は、少なくとも２以上の筐体から成り、筐体間が機械的に連結され、連結している構造に従って筐体間の相対位置を変えることができる開閉式携帯電話機であり、例えば、折り畳み式、スライド式、回転スライド式の開閉式携帯電話機であり、図３、図４、図５にそれぞれの開閉式携帯電話機と開閉方向を矢印で示す。
【００１１】
本明細書中、用語「開状態」は、開閉式携帯電話機が筐体の開閉状態を検知する機能によって「開状態」とされている状態であり、筐体間の相対位置が全開にならなくとも「開状態」となる。
【００１２】
また本明細書中、用語「キー」は、開閉式携帯電話機を操作するための入力手段として開閉式携帯電話機に備えられているいずれかのキーである。
【００１３】
このような構成にすることにより、開閉式携帯電話機の使用者は、開閉式携帯電話機の筐体を開状態となるまで開いて所定の時間内に閉じることで、緊急通報信号を発信することができる。
【発明の効果】
【００１４】
以上説明したように本発明によれば、発信の為のキー操作が不要であり、開閉式携帯電話機の筐体を開いて閉じるだけの単純な動作で緊急通報信号を発信できる。
【００１５】
さらに、目視確認して操作する必要がないために、例えばポケットに入れた状態や店舗カウンターの下などに置いた状態で、手の触覚だけで緊急通報信号を発信でき、また視覚障害者にとっても有用な緊急通報信号の発信手段となる。
【発明を実施するための最良の形態】
【００１６】
図１は本発明の開閉式携帯電話機における機能ブロックの実施の一形態を示す図である。図示されるブロックは本発明に関する部分を主として示し、以後の説明では本発明に係る部分のみが説明される。
【００１７】
図示された開閉式携帯電話機では、送受信部２１、通信制御部２２、制御部２３、時計部２４、開閉スイッチ２５、記憶部２６、及び入出力部２７を有している。
【００１８】
送受信部２１は、無線回線による基地局とのデータの送受信を行う。通信制御部２２は、インターネットとの接続を制御し、ＨＴＴＰ通信を行う。制御部２３は、本発明による発信方法の動作手順を実行し、通信制御部２２、時計部２４、開閉スイッチ２５、記憶部２６、入出力部２７の動作を制御する。時計部２４は、時刻データを発生させる。開閉スイッチ２５は、開閉式携帯電話機の開閉状態を検知する。記憶部２６は本発明の動作手順で必要とされるデータを記憶する。入出力部２７はキー操作による入力信号を処理して制御部２３へ送信する。
【００１９】
次に図１、図２を参照して、本発明による発信方法の動作手順について説明する。
【００２０】
開閉式携帯電話機の筐体が閉状態から開状態になり、開閉スイッチ２５が「オフ」から「オン」に変わった事を制御部２３が検知すると（手順Ｓ１）、制御部２３は、時計部２４から得られる時刻を開状態の開始時刻として記憶部２６に記録する（手順Ｓ２）。
【００２１】
筐体が開状態の間、キー操作が有り入出力部２７から制御部２３へ入力信号の送信があった場合、制御部２３は記憶部２６に記録されている開状態の開始時刻データを破棄し、手順Ｓ１へ戻る（手順Ｓ３）。
【００２２】
筐体が開状態から閉状態になり、開閉スイッチ２５が「オン」から「オフ」に変わった事を制御部２３が検知すると（手順Ｓ４）、制御部２３は、時計部２４から得られる時刻を開状態の終了時刻として記憶部２６に記録する（手順Ｓ５）。
【００２３】
制御部２３は、記憶部２６にある開状態の開始時刻データと終了時刻データから開状態の時間を算出し（手順Ｓ６）、開状態の時間が予め記憶部２６に記憶されている時間Ａの時間内であったかを判定する（手順Ｓ７）。
【００２４】
前記時間Ａは、記憶部２６に予め記憶されており、開閉式携帯電話機の使用者が開閉式携帯電話機を開状態から閉状態にすることができる時間とし、例えば２秒とする。
【００２５】
開状態の時間が前記時間Ａの時間内であった場合、制御部２３は記憶部２６から緊急通報信号データを読み込み、通信制御部２２を動作させてＨＴＴＰによる緊急通報信号の発信動作を行う（手順Ｓ８）。緊急通報信号データの内容は、開閉式携帯電話機を個別に識別する為に予め記憶部２６に記憶されているＩＤ情報である。
【００２６】
開状態の時間が前記時間Ａの時間内でなかった場合、記憶部２６にある開状態の開始時刻データと終了時刻データは制御部２３によって破棄され、手順Ｓ１のステップに戻る。
【００２７】
このように、上記説明では、図示された機能ブロックおよび動作手順を参照しているが、機能の分離併合による配分と動作手順の前後入替えと前記時間Ａの設定時間の変更は、上記機能を満たす限り自由であり、上記説明が本発明を限定するものではない。
【００２８】
また前記ＨＴＴＰ通信は特に限定するものではなく、例えばＨＴＴＰＳ通信などインターネットを介して通信できるものであればよい。
【図面の簡単な説明】
【００２９】
【図１】本発明の実施の一形態を示す機能ブロック図である。
【図２】図１における主要動作手順の実施の一形態を示すフローチャートである。
【図３】折り畳み式携帯電話機の斜視図と開閉方向を矢印で示す。
【図４】スライド式携帯電話機の斜視図と開閉方向を矢印で示す。
【図５】回転スライド式携帯電話機の斜視図と開閉方向を矢印で示す。
【符号の説明】
【００３０】
２１  送受信部
２２  通信制御部
２３  制御部
２４  時計部
２５  開閉スイッチ
２６  記憶部
２７  入出力部
【図１】
2006005510.tif 000003
【図２】
2006005510.tif 000004
【図３】
2006005510.tif 000005
【図４】
2006005510.tif 000006
【図５】
2006005510.tif 000007